(57)【特許請求の範囲】
【請求項１】
汚水を濾過する第１濾過部と、前記第１濾過部の下流にあって、該第１濾過部で濾過されて流れ出る汚水を受け止めて更に濾過する第２濾過部と、備え、前記第１濾過部は、少なくとも、汚水に含まれる夾雑物を保持する保持材を収容する第１濾過容器と、該第１濾過容器を出し入れ自在に収容する第１濾過容器収容体と、を備え、前記第２濾過部は、汚水を濾過する濾過材を収容する複数の第２濾過容器と、上流側から下流側に分割され、前記第２濾過容器を出し入れ自在に収容するとともに、汚水を貯留する複数の濾過空間を備えた第２濾過容器収容体と、前記濾過空間同士を連通するとともに、貯留された汚水を下流側に隣接する前記濾過空間に移動させる通水口と、を備え、前記第１濾過容器収容体及び前記第２濾過容器収容体が木材を用いて形成され、該木材は、土埋木を含んでいることを特徴とする汚水濾過装置。
【請求項２】
前記通水口が、前記第２濾過容器の上部から該第２濾過容器に汚水を流し入れるように設けられていることを特徴とする請求項１記載の汚水濾過装置。
【請求項３】
前記通水口が、上流側に設けられた下部側通水口と、該下部側通水口よりも上方、且つ下流側に設けられた上部側通水口と、前記下部側通水口と前記上部側通水口とを連通する水路と、を備えていることを特徴とする請求項１又は２記載の汚水濾過装置。
【請求項４】
前記通水口が、前記第２濾過容器の下部から該第２濾過容器に汚水を流し入れる下部側通水口と、前記第２濾過容器の上部に汚水を流し入れる上部側通水口とを有し、これら両通水口が上流から下流へ交互に設けられていることを特徴とする請求項１又は２記載の汚水濾過装置。
【請求項５】
前記通水口が、前記第２濾過容器の下部から該第２濾過容器に汚水を流し入れるように設けられていることを特徴とする請求項１記載の汚水濾過装置。
【請求項６】
前記通水口が、上流側に設けられた上部側通水口と、該上部側通水口よりも下方、且つ下流側に設けられた下部側通水口と、前記上部側通水口と前記下部側通水口とを連通する水路と、を備えていることを特徴とする請求項１又は５記載の汚水濾過装置。
【請求項７】
前記上部側通水口の下端部が、上流側よりも下流側が低い位置になるように設定されていることを特徴とする請求項３乃至６いずれか１項記載の汚水濾過装置。
【請求項８】
最下流側の前記濾過空間に、濾過された濾過水を該濾過空間外へ排水する排水部を備え、該排水部は、前記上部側通水口よりも下方に設けられていることを特徴とする請求項３乃至７いずれか１項記載の汚水濾過装置。
【請求項９】
前記第２濾過容器の全部が水没するように収容されていることを特徴とする請求項１乃至８いずれか１項記載の汚水濾過装置。
【請求項１０】
前記第１濾過容器収容体を除いて又は含んで、埋設されるものであることを特徴とする請求項１乃至９いずれか１項記載の汚水濾過装置。
【発明の詳細な説明】
【技術分野】
【０００１】
本発明は、汚水濾過装置に関し、主に、台所の流し台、洗面所、風呂、洗濯機等から排水される汚水を濾過する汚水濾過装置に関する。
【背景技術】
【０００２】
台所の流し台、洗面所、風呂、洗濯機等から排水される汚水は、単独浄化処理槽や合併浄化処理漕等の汚水濾過装置を用いて浄化処理を行うことが知られている。下記特許文献１に記載の汚水濾過装置は、第１、２の二つの濾過部を有しており、第１の濾過部で汚水中の夾雑物を除去し、この夾雑物が除去された第１濾過水をポンプにより、濾過材が収容された第２の濾過部に圧送することで第１濾過水を濾過するようになっている。
【先行技術文献】
【特許文献】
【０００３】
【特許文献１】特開２００１−３２７８０９号公報
【発明の概要】
【発明が解決しようとする課題】
【０００４】
特許文献１の従来技術によると、汚水中の夾雑物を除去する濾過工程と、夾雑物が除去された第１濾過水を濾過する工程の２工程で汚水を濾過するため、この汚水を効果的に濾過できる。しかしながら、特許文献１の汚水濾過装置は、第１濾過水をポンプにより強制的に第２の濾過部に送り込むとともに、この濾過部を通過させて濾過するものであるので、濾過材に対する第１濾過水の接触時間が短く、汚水の効果的な濾過ができないという問題があった。
【０００５】
また、この汚水濾過装置は、前述のポンプ、複数の濾過筒を連通させるための配管、この濾過筒にポンプを介して第１濾過水を送り込む配管等の複雑な配管構造からなるものであるので、部品や組み立て等の製造コストが嵩んでしまうという問題があった。更に、ポンプを動かすための電気代やメンテナンス等によるランニングコストがかかる上に、ポンプの動作音や振動による騒音が生じるという問題があった。また、第２の濾過部に収容された濾過材は、第２の濾過部を構成する複数の濾過筒を分解することにより嵌脱するようになっているので、濾過材の交換作業が面倒であった。
【０００６】
本発明は、このような問題に対処することを課題の一例とするものである。すなわち、汚水の濾過を確実にできること、濾過材の交換や点検を容易にできること、製造コスト及びランニングコストを削減できること、製造コスト及びランニングコストを削減することで、汚水の確実な濾過を低コストで達成できること、汚水の濾過時の騒音を低減できること、等が本発明の目的である。
【課題を解決するための手段】
【０００７】
このような目的を達成するために、本発明による汚水濾過装置は、以下の構成を少なくとも具備するものである。
【０００８】
汚水を濾過する第１濾過部と、前記第１濾過部の下流にあって、該第１濾過部で濾過されて流れ出る汚水を受け止めて更に濾過する第２濾過部と、備え、前記第１濾過部は、少なくとも、汚水に含まれる夾雑物を保持する保持材を収容する第１濾過容器と、該第１濾過容器を出し入れ自在に収容する第１濾過容器収容体と、を備え、前記第２濾過部は、汚水を濾過する濾過材を収容する複数の第２濾過容器と、上流側から下流側に分割され、前記第２濾過容器を出し入れ自在に収容するとともに、汚水を貯留する複数の濾過空間を備えた第２濾過容器収容体と、前記濾過空間同士を連通するとともに、貯留された汚水を下流側に隣接する前記濾過空間に移動させる通水口と、を備え、前記第１濾過容器収容体及び前記第２濾過容器収容体が木材を用いて形成され、該木材は、土埋木を含んでいることを特徴とする。
【発明の効果】
【０００９】
このような特徴を有することで本発明は、以下の効果を奏する。すなわち、複雑な配管やポンプを必要とせずに、汚水を第１濾過部から第２濾過部に流しながら、第１濾過部で夾雑物を保持するとともに、複数の第２濾過容器を備えた第２濾過部でゆっくりと濾過するようにしているので、汚水の濾過を確実にできる。また、第１濾過容器と第２濾過容器とを着脱可能にしているので、濾過材の交換や点検を容易に行うことができる。したがって、製造コスト及びランニングコストを削減できるので、汚水の確実な濾過を低コストで達成できる。しかも、ポンプを使用せずに汚水の濾過ができるので、汚水の濾過時の騒音を低減できる。
【図面の簡単な説明】
【００１０】
【図１】本発明に係る汚水濾過装置の第１実施形態を示す断面図。
【図２】図１の平面図で天板を取り外した状態を示す。
【図３】図１の(３)-(３)線断面図。
【図４】図１の(４)-(４)線断面図。
【図５】本発明に係る汚水濾過装置の第２実施形態を示す断面図。
【図６】図５の(６)-(６)線断面図。
【図７】図５の(７)-(７)線断面図。
【図８】本発明に係る汚水濾過装置の第３実施形態を示す断面図。
【図９】本発明に係る汚水濾過装置の第４実施形態を示す断面図。
【図１０】本発明に係る汚水濾過装置の第５実施形態を示す断面図。
【発明を実施するための形態】
【００１１】
本発明でいう保持材とは、例えば、残飯、毛髪、垢、水垢等の有機廃棄物からなる夾雑物を保持するものであればよいが、例えば、木炭、ゼオライト、礫、軽石、砂、おがくず、木チップ等の天然素材であって、汚水の濾過機能及び前述の夾雑物を保持しながら分解処理する機能を有するものが好ましい。また、細かい網目や細かい孔を有する箱状、籠状、板状等に形成されたフィルター状のものであって、夾雑物を保持するが、水の濾過機能及び夾雑物を分解処理する機能がない保持材としてもよい。
【００１２】
また、本発明でいう濾過材とは、水を濾過する機能を有するものであればよいが、例えば、木炭、ゼオライト、礫、軽石、砂、おがくず、木チップ等の天然素材からなるものが好ましい。
【００１３】
本発明の汚水濾過装置は、通水口が、第２濾過容器の上部に汚水を流し入れるように設けられていることが好ましい。この通水口の具体的な構成として、例えば、上流側に設けられた下部側通水口と、この下部側通水口よりも上方、且つ下流側に設けられた上部側通水口と、下部側通水口と上部側通水口とを連通する水路と、を備えている構成が挙げられる。また、第２濾過容器の下部に汚水を流し入れる下部側通水口と、第２濾過容器の上部に汚水を流し入れる上部側通水口とを有し、これら両通水口を上流から下流へ交互に設けた構成が挙げられる。
【００１４】
また、本発明の汚水濾過装置は、前記通水口が、第２濾過容器の下部から第２濾過容器に汚水を流し入れるように設けられていることが好ましい。この通水口の具体的な構成として、例えば、上流側に設けられた上部側通水口と、この上部側通水口よりも下方、且つ下流側に設けられた下部側通水口と、上部側通水口と下部側通水口とを連通する水路と、を備えている構成が挙げられる。
【００１５】
また、本発明の汚水濾過装置は、上部側通水口の下端部を上流側よりも下流側が低い位置になるように設定することが好ましい。
【００１６】
また、本発明の汚水濾過装置は、最下流側の濾過空間に、濾過された濾過水を濾過空間外へ排水する排水部を備え、この排水部を上部側通水口よりも下方に設けることが好ましい。
【００１７】
また、本発明の汚水濾過装置は、第２濾過容器の全部が水没するように収容することが好ましい。
【００１８】
また、本発明の汚水濾過装置は、第１濾過容器収容体及び第２濾過容器収容体が木材を用いて形成され、更に、この木材には土埋木が含まれていることが好ましい。この土埋木を含む木材は、樹脂含有量が多く、防水性、防虫性、抗菌性を有するものがよく、このような木材として、例えば、スギ、マツ、ヒノキ、カヤ等が挙げられる。
【００１９】
また、本発明の汚水濾過装置は、前記第１濾過容器収容体を除いて又は含んで埋設することが好ましい。
【００２０】
以下、本発明に係る汚水濾過装置の実施形態を図面に基づいて説明する。図１〜図４は、第１実施形態を示し、図５〜図７は、第２実施形態を示し、図８は、第３実施形態を示し、図９は、第４実施形態を示し、図１０は、第５実施形態を示す。
【００２１】
第１実施形態の汚水濾過装置Ａは、この汚水濾過装置Ａの全てを土中(図示せず)に埋設する形態のものであり、最上流側に配置された第１濾過部１と、第１濾過部１の下流側に配置された第２濾過部２とを備え、家屋（図示せず）からの排水管Ｂが第１濾過部１に配管され、第１濾過部１及び第２濾過部２で濾過された濾過水Ｆが、第２濾過部２の最下流側から前述の土中に排水されるようになっている。
【００２２】
第１濾過部１は、濾過材Ｃ及び夾雑物（図示せず）を分解処理する機能を有する保持材Ｄを出し入れ可能に収容するとともに、汚水Ｅを通過させる通過口１００を備えた第１濾過容器１Ａと、この第１濾過容器１Ａを収容する第１濾過容器収容体１０と、この第１濾過容器収容体１０に設けられ、排水管Ｂに配管される案内部１Ｂとを備えている。
【００２３】
第１濾過容器１Ａは、防錆加工を施した針金等を編んでなる多数の網目を有し、この網目を通過口１００として形成された上部（上流側）開放型の籠状のものであり、上部の開放部１１が案内部１Ｂの排水出口Ｂ１０と対面するように配置されている。また、図１、図２において開放部１１の左右の縁には、第１濾過容器収容体１０に設けられた２本の保持杆１０Ｂに載置される保持板１２が外側へ突出するように設けられている。また、保持板１２の上面には、第１濾過容器１Ａを持ち運ぶための取手１３が設けられている。このような第１濾過容器１Ａには、下方に濾過材Ｃが収容され、この濾過材Ｃに積層するように保持材Ｄが収容されている。
【００２４】
尚、第１濾過容器１Ａは、例示した形態に限らず、例えば、多数の孔を通過口１００とした上部開放型の籠状の成形品としてもよい(図示せず)。
【００２５】
第１濾過容器収容体１０は、下部（下流側）を開放した箱状のものであり、四方を囲んだ側壁１４の上部開放部１５を塞ぐ天板１６の中央部に案内部１Ｂが貫通取り付けされている。側壁１４の内側には、保持杆１０Ｂが固定状に取り付けられている。２本の保持杆１０Ｂの間隔は、第１濾過容器１Ａが通過可能な間隔であるとともに、保持板１２が載置可能な間隔として配置されている。天板１６は、側壁１４に対してボルト・ナット（図示せず）等によって着脱可能に取り付けられており、この天板１６を取り外すことによって上部開放部１５を開放して、第１濾過容器１Ａを着脱できるようになっている。
【００２６】
第１濾過容器収容体１０は、樹脂含有量が多く、防水性、防虫性、抗菌性を有するスギ、マツ、ヒノキ、カヤ等の木材及び土埋木を用いて構成されている。
【００２７】
案内部１Ｂは、排水管Ｂと同径とする管体であり、配水管Ｂに対して接続具（図示せず）を介して着脱自在に接続されている。
【００２８】
このような第１濾過部１によると、案内部１Ｂを介して第１濾過容器収容体１０に案内される汚水Ｅが、第１濾過容器１Ａに流入し、濾過材Ｃ及び保持材Ｄに接触しながら第１濾過部１を通過して第２濾過部２に流入する。このとき、汚水Ｅが濾過材Ｃ及び保持材Ｄに接触することによって、濾過されるとともに、この汚水Ｅに含まれている夾雑物が濾過材Ｃ及び保持材Ｄに引っ掛かるように保持される。したがって、第１濾過容器１Ａを通過して第２濾過部２に流入する汚水Ｅは、夾雑物の含有量が減少し、ある程度濾過された状態になっている。また、保持材Ｄにより保持された夾雑物を分解処理することができる。
【００２９】
濾過材Ｃ及び保持材Ｄの交換は、第１濾過容器１Ａを取り外して濾過材Ｃ及び保持材Ｄを入れ換えることにより行うことができる。また、濾過材Ｃの上部に積層した保持材Ｄにより、汚水Ｅに含まれるほとんどの夾雑物を保持するとともに、保持された夾雑物を分解処理するので、夾雑物による濾過材Ｃの汚れを防ぎ、濾過材Ｃの濾過機能を長期間にわたって保持することができる。したがって、濾過材Ｃ及び保持材Ｄの交換作業を容易に行うことができ、しかも、濾過材Ｃ及び保持材Ｄの交換回数を減らすことができるので、材料コストや交換作業コスト等を削減することができる。
【００３０】
第２濾過部２は、濾過材Ｃを出し入れ可能に収容するとともに、汚水Ｅを通過させる通過口２００を備えた５個の第２濾過容器２Ａ〜２Ｅと、上流側から下流側に沿って５分割され、第２濾過容器２Ａ〜２Ｅを出し入れ自在に収容する５個の濾過空間３Ａ〜３Ｅを備えた第２濾過容器収容体２０と、濾過空間３Ａ〜３Ｅを連通する通水口３と、最下流側に確保された排水空間３Ｆに設けられた排水部３Ｇとを備えている。
【００３１】
第２濾過容器２Ａ〜２Ｅは、多数の孔を通過口２００とする上部開放型の籠状の成形品であり、全て同大・同形状に形成されている。また、底部２０１には脚部２０２が設けられている。本形態では、第２濾過容器２Ａ〜２Ｅに収容される濾過材Ｃとして、第２濾過容器２Ａは木チップ、第２濾過容器２Ｂはおがくず、第２濾過容器２Ｃ、２Ｄは木炭、第２濾過容器２Ｅは砂としている。また、第２濾過容器２Ａが最上流側の濾過空間３Ａに収容され、第２濾過容器２Ｂ以下、順に上流側から下流側に並ぶ濾過空間３Ｂ〜３Ｅに収容されている。
【００３２】
尚、第２濾過容器２Ａ〜２Ｅは、例示した形態に限らず、例えば、第１濾過容器１Ａのような、防錆加工を施した針金等を編んで多数の網目を有し、この網目を通過口２００として形成された上部開放型の籠状の形態としてもよい(図示せず)。
【００３３】
第２濾過容器収容体２０は、四方を囲んだ側壁２２の上部開放部２３を天板２４で塞ぎ、この天板２４の濾過空間３Ａと正対する部位を開放した箱状のものである。第２濾過容器収容体２０と第１濾過容器収容体１０とは、天板２４の開放部２５と第１濾過容器収容体１０における下部開放部１７とを正対させた状態で連結することによって、第１濾過容器１Ａで濾過された汚水Ｅが第２濾過容器２Ａに流入するようになっている。
【００３４】
天板２４は、上部開放部２３を濾過空間３Ａ〜３Ｅ及び排水空間３Ｆごとに独立して開放できるように分割され、分割された天板２４の夫々が、側壁２２に対してボルト・ナット（図示せず）等によって着脱可能に取付けられており、この天板２４を取外すことによって上部開放部２３を開放して、第２濾過容器２Ａ〜２Ｅを着脱できるようになっている。
【００３５】
第１濾過部１と第２濾過部２とは、濾過空間３Ａ上の天板２４に対して、第１濾過部１における側壁１４を、ボルト・ナット等の締め付け部材(図示せず)や嵌合等の取り付け手段(図示せず)を用いて、着脱自在に取り付けることによって、分離可能に一体化されている。
【００３６】
濾過空間３Ａ〜３Ｅは、一対の仕切り板４Ａ、４Ｂからなる仕切り部４によって仕切られており、この仕切り部４に設けられた通水口３によって連通されている。濾過空間３Ａ〜３Ｅは、汚水Ｅが貯留されるように、側壁２２と、仕切り部４、第２濾過容器収容体２０の底板２６とで独立した容器形態に構成され、第２濾過容器２Ａ〜２Ｅが適合して収容されるようになっている。
【００３７】
通水口３は、上流側の仕切り板４Ａの下端に設けられた下部側通水口３１と、下流側の仕切り板４Ｂの上端に設けられた上部側通水口３２と、仕切り板４Ａ、４Ｂの間に、下部側通水口３１と上部側通水口３２とを連通するように確保された水路３３とから構成されている。
【００３８】
この通水口３は、濾過空間３Ａに流入する汚水Ｅの貯水量が増えるのにともなって、この汚水Ｅが下部側通水口３１から水路３３に流入するとともに、この水路３３を上部側通水路３２に向かって上昇するように案内し、更に、濾過空間３Ａの汚水Ｅの貯水量が上部側通水口３２を超える高さになるのにともなって、水路３３を上昇する汚水Ｅのオーバーフロー分が、上部側通水口３２を超えて濾過空間３Ｂに流入するように案内できるようになっている。
【００３９】
このとき、濾過空間３Ａに貯水される汚水Ｅは、下方から徐々に貯水され、上部側通水口３２を超える高さとなるまで、第２濾過容器２Ａに収容された濾過材Ｃに接触して濾過されているため、水路３３を上昇してオーバーフローして濾過空間３Ｂに流入する汚水Ｅが、濾過空間３Ａの汚水Ｅ中、最も浄化された汚水Ｅとなる。以下、濾過空間３Ｂ〜濾過空間３Ｅまで、濾過空間Ａと同様に、流入する汚水Ｅを貯水しながら濾過するとともに、オーバーフローさせることで、順次汚水Ｅを浄化し、最後に濾過空間３Ｅで濾過した汚水Ｅを濾過水Ｆとして排水空間３Ｆから排水部３Ｇを介して土中に排水することができる。
【００４０】
濾過空間３Ｅの下流側は、仕切り板４Ｃによって仕切られており、この仕切り板４Ｃの下流側に濾過空間３Ｅと連通する排水空間３Ｆが確保されている。仕切り板４Ｃの下端には、濾過空間３Ｅと連通する下部側通水口３１が設けられており、濾過空間３Ｅで濾過された濾過水Ｆが下部側通水口３１から排水空間３Ｆに流入するようになっている。排水空間３Ｆに流入した濾過水Ｆは、濾過空間３Ｅの汚水Ｅの貯水量が増えるのにともなって上昇し、排水部３Ｇを超える高さになるのにともなって、排水空間３Ｆを上昇する濾過水Ｆのオーバーフロー分が排水部３Ｇを介して土中に排水されるようになっている。
【００４１】
本実施形態では、上部側通水口３２の下端部３１０（仕切り板４Ｂの上端）の高さ位置を、下流側が上流側よりも低くなるように設定しており、濾過空間３Ｂ〜３Ｅの貯水量が下流側の上部側通水口３２の下端部３１０を超える高さになっても、汚水Ｅが上流側の上部側通水口３２を超えて逆流しないようになっている。また、排水部３Ｇの上端部の高さ位置を、最下流側における上部側通水口３２の下端部３１０の高さよりも下方となるように設定しており、濾過空間３Ｅの貯水量が排水部３Ｇの下端部を超える高さになっても、汚水Ｅが上流側の上部側通水口３２を超えて逆流しないようになっている。
【００４２】
第２濾過容器収容体２０は、仕切り部４を含む全体を、樹脂含有量が多く、防水性、防虫性、抗菌性を有する例えば、スギ、マツ、ヒノキ、カヤ等の木材及び土埋木を用いて構成されている。
【００４３】
本実施形態の汚水濾過装置Ａによると、排水管Ｂからの汚水Ｅを、案内部１Ｂを介して第１濾過部１に保持された第１濾過容器１Ａに流入させ、濾過材Ｃ及び保持材Ｄにより濾過するとともに、汚水Ｅに含まれた夾雑物を保持することで除去し、夾雑物が除去された汚水Ｅを通過させて第２濾過部２の最上流側の濾過空間３Ａに流入させることができる。第２濾過部２では、流入した汚水Ｅを、濾過空間３Ａ〜濾過空間３Ｅに順次貯水しながら、下流側に向かってオーバーフローさせることで、第２濾過容器２Ａ〜第２濾過容器２Ｅに収容された濾過材Ｃに順次接触させて濾過して、濾過した濾過水Ｆを排水空間３Ｆから排水部３Ｇを介して排水することができる。
【００４４】
したがって、本実施形態の汚水濾過装置Ａは、汚水Ｅを第１濾過部１から第２濾過部２へ濾過しながら落水させるとともに、第２濾過部２において、汚水Ｅを貯水しながらオーバーフローさせて徐々に濾過するようにしているので、ポンプを用いずに汚水Ｅの濾過から排水を行うことができる。そのため、ポンプを用いた場合に必要となる電力や燃料を不要にすることができる。その上、ポンプを作動させた場合に生じる動作音や振動もないので、低コストで静かに汚水Ｅの濾過を行うことができる。しかも、汚水Ｅを上流側から下流側へ段階的にオーバーフローさせてゆっくりと濾過するようにしているため、汚水Ｅの濾過を確実に行うことができる。
【００４５】
また、第１濾過容器１Ａ及び第２濾過容器２Ａ〜第２濾過容器２Ｅが着脱自在であるので、濾過材Ｃ及び保持材Ｄの交換、第１濾過容器１Ａ及び第２濾過容器２Ａ〜第２濾過容器２Ｅの清掃及びメンテナンス、濾過空間３Ａ〜濾過空間３Ｅの清掃及びメンテナンス等を容易に行うことができる。
【００４６】
また、第１濾過容器収容体１０及び第２濾過容器収容体２０を、樹脂含有量が多く、防水性、防虫性、抗菌性を有する木材及び土埋木を用いて構成しているので、長期間にわたる埋設においても、第１濾過容器収容体１０及び第２濾過容器収容体２０の腐食、虫食い、分解等を抑制することができる。また、廃棄時においても、木材であるため、焼却処理することもできるし、木チップやおがくずに加工して濾過材Ｃや保持材Ｄとして再利用することもできる。
【００４７】
次に、第２実施形態の汚水濾過装置Ａ’を説明する。本実施形態の汚水濾過装置Ａ’は、第１実施形態の汚水濾過装置Ａにおける通水口３の形態及び仕切り部４の形態を変更し、排水空間３Ｆが設けられていないものであり、この通水口３の形態及び仕切り部４の形態、並びに排水空間３Ｆが設けられていない形態以外は、汚水濾過装置Ａと同形態のものであるため、重複する部位については、図面に同符号を付すことにより説明を省略する。
【００４８】
本実施形態の第１濾過容器収容体１０は、第１実施形態における保持杆１０Ｂに換えて、側壁１４の上端内側に、保持板１２を載置する保持段部１０Ｃが形成されており、この保持段部１０Ｃに保持板１２を載置することによって、第１濾過容器１Ａを第１濾過容器収容体１０内に取り付けるようになっている。そして、第１実施形態と同様に、天板１６を取り外すことによって上部開放部１５を開放して、第１濾過容器１Ａを着脱できるようになっている。
【００４９】
仕切り部４は、一枚の板から構成されており、この仕切り部４に通水口３が設けられている。濾過空間３Ａと濾過空間３Ｂを仕切る仕切り部４に設けられた通水口３は、上部側通水口３２であり、濾過空間３Ａと濾過空間３Ｂとを上部で連通している。濾過空間３Ｂと濾過空間３Ｃを仕切る仕切り部４に設けられた通水口３は、下部側通水口３１であり、濾過空間３Ｂと濾過空間３Ｃとを下部で連通している。濾過空間３Ｃと濾過空間３Ｄを仕切る仕切り部４に設けられた通水口３は、上部側通水口３２であり、濾過空間３Ｃと濾過空間３Ｄとを上部で連通している。濾過空間３Ｄと濾過空間３Ｅを仕切る仕切り部４に設けられた通水口３は、下部側通水口３１であり、濾過空間３Ｄと濾過空間３Ｅとを下部で連通している。排水部３Ｇは、上部側通水口３２と同高に設けられている。
【００５０】
本実施形態の汚水濾過装置Ａ’によると、上部側通水口３２と下部側通水口３１とを、上流側から下流側へ交互に配置しているので、濾過空間３Ａから上部側通水口３２を介してオーバーフローする汚水Ｅが濾過空間３Ｂに流入するとともに、下部側通水口３１を介して濾過空間３Ｃに流入する。また、濾過空間３Ｂ及び濾過空間３Ｃが満水となって、濾過空間３Ｃと濾過空間３Ｄを仕切る仕切り部４に設けられた上部側通水口３２からオーバーフローする汚水Ｅが、濾過空間３Ｄに流入するとともに、下部側通水口３１を介して濾過空間３Ｅに流入する。
【００５１】
すなわち、第１濾過容器２Ａに収容された濾過材３Ｃで濾過されてオーバーフローする汚水Ｅは、濾過空間３Ｂと濾過空間３Ｃとに徐々に流入しながら貯水されるとともに、第２濾過容器２Ｂに収容された濾過材Ｃと第２濾過容器２Ｃに収容された濾過材Ｃとで濾過され、更に、濾過空間３Ｄからオーバーフローする汚水Ｅは、濾過空間３Ｄと濾過空間３Ｅとに徐々に流入しながら貯水されるとともに、第２濾過容器２Ｄに収容された濾過材Ｃと第２濾過容器２Ｅに収容された濾過材Ｃとで濾過されるため、汚水Ｅをゆっくりと確実に濾過することができる。そして、濾過空間３Ｄと濾過空間３Ｅで最終的に濾過された濾過水Ｆが貯水されて排水部３Ｇをオーバーフローすることにより排水できる。
【００５２】
したがって、本実施形態の汚水濾過装置Ａ’によっても、第１実施形態の汚水濾過装置Ａと同様の作用効果を有し、しかも、通水口３及び仕切り部４を簡単な構造にすることができる。
【００５３】
次に、第３実施形態の汚水濾過装置Ａ”を説明する。本実施形態の汚水濾過装置Ａ”は、第２実施形態の汚水濾過装置Ａ’における通水口３の形態を変更したものであり、この通水口３の形態以外は、汚水濾過装置Ａ’と同形態のものであるため、重複する部位については、図面に同符号を付すことにより説明を省略する。
【００５４】
通水口３は、全て上部側通水口３２としたものであり、汚水Ｅを濾過空間３Ａ〜濾過空間３Ｅに順次貯水しながら、下流側に向かってオーバーフローさせることで、第２濾過容器２Ａ〜第２濾過容器２Ｅに収容された濾過材Ｃに順次接触させて濾過して、濾過した濾過水Ｆを排水部３Ｇから排水するようになっている。
【００５５】
したがって、本実施形態の汚水濾過装置Ａ”によっても、第１実施形態の汚水濾過装置Ａと同様の作用効果を有し、しかも、通水口３及び仕切り部４をより簡単な構造にすることができる。
【００５６】
次に、第４実施形態の汚水濾過装置Ａ'''を説明する。本実施形態の汚水濾過装置Ａ'''は、汚水濾過装置Ａと同様に、上部側通水口３２の下端部３１０の高さ位置を、下流側が上流側よりも低くなるように設定している。また、本実施形態の汚水濾過装置Ａ'''では、濾過空間３Ａを除く濾過空間３Ｂ〜濾過空間３Ｅを夫々仕切り板３４によって２分割して、濾過空間３０Ｂ、３１Ｂ、濾過空間３０Ｃ、３１Ｃ、濾過空間３０Ｄ、３１Ｄ、濾過空間３０Ｅ、３１Ｅを形成し、これら、濾過空間３０Ｂ、３１Ｂ、３０Ｃ、３１Ｃ、３０Ｄ、３１Ｄ、３０Ｅ、３１Ｅに第２濾過容器２Ａ〜２Ｈを収容している。本実施形態では、濾過空間３Ａには、第２濾過容器が収容されず、汚水Ｅを貯水する空間となっているが、この濾過空間３Ａに第２濾過容器を収容してもよい。
【００５７】
仕切り板３４には、下部側通水口３１が形成されており、この下部側通水口３１によって、濾過空間３０Ｂと３１Ｂ間、濾過空間３０Ｃと３１Ｃ間、濾過空間３０Ｄと３１Ｄ間、濾過空間３０Ｅと３１Ｅ間を連通している。
【００５８】
第２濾過容器２Ａ〜２Ｈは、各濾過空間３Ｂ〜３Ｅが満水になった状態において、上面まで水没する高さ位置を定位置として保持して配置されており、更に、底部２０１の下方に通水空間Ｓを確保して配置されている。また、この第２濾過容器２Ａ〜２Ｈは、開閉可能な蓋２７を備えており、第２濾過容器２Ａ〜２Ｈが上面まで水没したときに、水に浮く濾過材が第２濾過容器２Ａ〜２Ｈから濾過空間３Ｂ〜３Ｅに流れ出ないようになっている。この蓋２７も第２濾過容器２Ａ〜２Ｈと同様に多数の孔(図示せず)を有し、この孔を汚水Ｅの通過口(図示せず)したものである。
【００５９】
第２濾過容器２Ａ〜２Ｈの定位置を保持する構成としては、第２濾過容器２Ａ〜２Ｈの底部２０１に脚部を備えたり、濾過空間３Ｂ〜３Ｅに台を固定し、この台に第２濾過容器２Ａ〜２Ｈを載せたりすることで定位置を保持する構成が挙げられる(図示せず）。この場合、第２濾過容器２Ａ〜２Ｈの浮き上がりを防ぐために、第２濾過容器２Ａ〜２Ｈを蓋２７の上方から押さえたり、第２濾過容器２Ａ〜２Ｈに錘を設けたりする構成が挙げられる(図示せず)。また、蓋２７が浮き上がらないように、第２濾過容器２Ａ〜２Ｈに対して掛止したり、蓋２７に錘を設けたりする構成が挙げられる(図示せず)。
【００６０】
第４実施形態の汚水濾過装置Ａ'''によると、第１実施形態の汚水濾過装置Ａと同様の効果を有し、しかも、第２濾過容器２Ａ〜２Ｈが上面まで水没するので、各濾過空間３Ｂ〜３Ｅに貯水される汚水Ｅを収容された濾過材Ｃの全部に接触させることができるとともに、前述の汚水濾過装置Ａ〜Ａ”に比べて接触時間を長くすることができる。また、一つの濾過空間３Ｂ〜３Ｅに夫々２つの第２濾過容器２Ａ〜２Ｈを収容しているので、前述の汚水濾過装置Ａ〜Ａ”と同数の濾過空間３Ａ〜３Ｅでありながら、汚水濾過装置Ａ〜Ａ”よりも多種の濾過材を収容し、この多種の濾過材Ｃにより汚水Ｅを濾過することができる。したがって、本実施形態の汚水濾過装置Ａ'''は、汚水Ｅをより確実に濾過することができる。
【００６１】
次に、第５実施形態の汚水濾過装置Ａ''''を説明する。尚、第１実施形態〜第４実施形態と重複する部位については、同符号を付すことにより説明を省略する。また、本実施形態の汚水濾過装置Ａ''''は、排水空間３Ｆに第２濾過容器を収容した形態としたものであり、以下では、この排水空間３Ｆに収容される第２濾過容器に符号２Ｅを付して説明し、排水空間３Ｆを濾過空間３Ｆ’として説明する。
【００６２】
本実施形態の汚水濾過装置Ａ''''は、通水口３を第２濾過容器２Ａ〜２Ｅの下部からこの第２濾過容器２Ａ〜２Ｅに汚水を流し入れるように設けたものである。また、汚水濾過装置Ａ''''は、濾過空間３Ａを除く濾過空間３Ｂ〜３Ｆ’に第２濾過容器２Ａ〜２Ｅを収容したものである。
【００６３】
また、本実施形態の汚水濾過装置Ａ''''は、第１濾過部１が設けられておらず、第１濾過容器１Ａが濾過空間３Ａに配されている。濾過空間３Ａの上部には、側部に排水管Ｂに配管される案内部１Ｂを備えた環体１８が設けられている。環体１８の上部は着脱可能な蓋体１９で塞がれており、この蓋体１９を取り外すことによって、第１濾過容器１Ａを濾過空間３Ａから取り外せるようになっている。
【００６４】
本実施形態の第２濾過容器２Ａ〜２Ｅは、第４実施形態と同様の構成としてなるものであり、各濾過空間３Ｂ〜３Ｆ’が満水になった状態において、上面まで水没する高さ位置を定位置として保持して配置されており、更に、底部２０１の下方に通水空間Ｓを確保して配置され、第４実施形態と同様の構成で定位置が保持されている。
【００６５】
通水口３は、上部側通水口３２を上流側の仕切り板４Ａの上端に設け、下部側通水口３１を下流側の仕切り板４Ｂの下端に設けたものであり、上流側の濾過空間３Ａ〜３Ｅが満水になると、この汚水を上部側通水口３２から水路３３に流入させるとともに、この水路３３を下降させて下部側通水口３１から濾過空間３Ａ〜３Ｅと夫々下流側で隣り合う濾過空間３Ｂ〜３Ｆ’に流出させるようになっている。
【００６６】
各濾過空間３Ｂ〜３Ｆ’に流出して貯められる汚水Ｅは、徐々に水位が上昇することによって、各濾過空間３Ｂ〜３Ｆ’に収容された第２濾過容器２Ａ〜２Ｅの下部からこの第２濾過容器２Ａ〜２Ｅに流し入れられて濾過されるようになっている。
【００６７】
すなわち、汚水濾過装置Ａ''''は、上流側の濾過空間３Ａから最下流側の濾過空間３Ｅへ汚水Ｅを下方から貯めながら移動させ、各濾過空間３Ｂ〜３Ｆ’において貯められる汚水Ｅの水位上昇に伴ってこの汚水Ｅを濾過することができる。
【００６８】
この汚水濾過装置Ａ''''は、濾過空間３Ｂ〜３Ｆにおける第２濾過容器２Ａ〜２Ｅの底部２０１付近に、第２濾過容器２Ａ〜２Ｅに保持された夾雑物の好気性分解を促すための空気を送り込む空気管Ｐが配管されており、この空気管Ｐからポンプ等によって第２濾過容器２Ａ〜２Ｅ内に空気を送り込むようになっている。この空気管Ｐは、濾過空間３Ａ〜３Ｆの全部に配管してもよいし、濾過空間３Ａ〜３Ｆの一部に配管してもよい。
【００６９】
したがって、本実施形態の汚水濾過装置Ａ''''によっても、第１実施形態の汚水濾過装置Ａと同様の作用効果を有し、しかも、空気管Ｐから送り込まれる空気によって好気性分解を促すようにしているため、より効果的な汚水Ｅの濾過を行うことができる。
【００７０】
尚、本発明は、例示した実施形態に限定するものではなく、特許請求の範囲の各項に記載された内容から逸脱しない範囲の構成による実施が可能である。
【００７１】
例えば、第１実施形態〜第３実施形態では、第１濾過容器収容体１０及び第２濾過容器収容体２０を木材及び土埋木からなるものとして例示したが、本発明では、木製に限らず、金属製のもの、合成樹脂製のもの、繊維強化樹脂製のもの、これらを組み合わせてなるものとしてもよい。
【００７２】
例えば、第１濾過容器収容体１０及び第２濾過容器収容体２０の内側をステンレスで構成し、このステンレスの外側周囲壁を木板材で囲むようにして構成した汚水濾過装置Ａ〜Ａ''''が挙げられる(図示せず)。このような汚水濾過装置Ａ〜Ａ''''によると、ステンレスによる内側の腐食の防止及びステンレスと木板材との組み合わせによる強度の向上が期待できる。
【００７３】
前述のようにステンレスの外側周囲壁を木板材で囲む場合、複数の木板材を壁面の上下方向に隙間をあけて並べてもよいし、複数の木板材を壁面の上下方向に隙間なく並べてもよい(図示せず)。また、ステンレスの外側周囲壁にこの壁面と同形・同大の木板材を配してもよい(図示せず)。また、ステンレスに替えて合成樹脂や繊維強化樹脂を用いてもよい(図示せず)。
【００７４】
本発明の汚水濾過装置Ａ〜Ａ''''は、第２濾過容器２０を、流水方向(図１において左右方向)に２以上に分割可能な形態としてもよく、このような形態とすることで、運搬や収納等を容易に行うことができるとともに、流水方向の長さの調整を行うことができる(図示せず)。
【００７５】
また、第１濾過容器収容体１０及び第２濾過容器収容体２０を土中に埋設した形態で例示したが、本発明では、第２濾過容器収容体２０のみを埋設した形態、第１濾過容器収容体１０及び第２濾過容器収容体２０を埋設せずに地面に載置した形態としてもよい。
【００７６】
また、第１濾過容器１Ａ及び第２濾過容器２Ａ〜２Ｈの形状や素材は、例示したものに限らず、濾過材Ｃ及び保持材Ｄを収容できるとともに、流入する汚水Ｅを通過させることができるものであればよい。例えば、第１濾過容器１Ａにおける通過口１００を底部のみに設けた構成(図示せず)、第２濾過容器２Ａ〜２Ｈにおける通過口２００を底部２０１及び蓋２７のみに設けた構成が挙げることができる。
【００７７】
また、濾過空間３Ａ〜３Ｆの個数、第２濾過容器２Ａ〜２Ｈの個数は、例示された個数に限らず、任意に増減することができる。
【００７８】
また、排水部３Ｇからの濾過水Ｆは、例示したように土中に排水する形態に限らず、排水部３Ｇを管体で延長して下水管に配管するようにしてもよい(図示せず）。
【００７９】
また、空気管Ｐは、第５実施形態の汚水濾過装置Ａ''''に配管するものに限らず、第１実施形態の汚水濾過装置Ａ〜第４実施形態の汚水濾過装置Ａ'''に配管してもよい(図示せず)。
【００８０】
本発明の汚水濾過装置Ａ〜Ａ''''は、トイレから排水される糞尿を含む汚水を濾過することも可能であるが、この場合、前述したように濾過された濾過水Ｆを下水管に排水することが好ましい。この汚水濾過装置Ａ〜Ａ'''を、トイレから排水される汚水を除く汚水Ｅを濾過するものとして使用したとき、トイレから排水される汚水を、例えば、本出願人が出願した分解処理装置付きトイレ（特開２００１−１２０４６０号）等で含まれる糞尿を分解処理して堆肥化することにより、トイレから排水されるＢＯＤが高い汚水を前述した下水管に排水させずに処理することができる。したがって、家庭からの汚水をきれいにして排水することができるので、汚水浄化処理場等の処理施設の負担を軽減することができる。
【００８１】
また、本発明の汚水濾過装置Ａ〜Ａ''''は、上水として利用する水を濾過する濾過装置としても利用できる。
【符号の説明】
【００８２】
Ａ：汚水濾過装置  Ａ’：汚水濾過装置  Ａ”：汚水濾過装置  Ａ'''：汚水濾過装置
Ａ''''： 汚水濾過装置  １：第１濾過部  ２：第２濾過部  Ｃ：濾過材  Ｄ：保持材
１Ａ：第１濾過容器  １０：第１濾過容器収容体  ２Ａ：第２濾過容器  
２Ｂ：第２濾過容器  ２Ｃ：第２濾過容器  ２Ｄ：第２濾過容器  ２Ｅ：第２濾過容器
２Ｆ：第２濾過容器  ２Ｇ：第２濾過容器  ２Ｈ：第２濾過容器
２０：第２濾過容器収容体  ３Ａ：濾過空間  ３Ｂ：濾過空間  ３Ｃ：濾過空間
３Ｄ：濾過空間  ３Ｅ：濾過空間  ３Ｆ’：濾過空間  ３Ｇ：排水部  ３：通水口
３１：下部側通水口  ３２：上部側通水口  ３１０：下端部  ３０Ｂ：濾過空間
３１Ｂ：濾過空間  ３０Ｃ：濾過空間  ３１Ｃ：濾過空間  ３０Ｄ：濾過空間
３１Ｄ：濾過空間  ３０Ｅ：濾過空間  ３１Ｅ：濾過空間
【図１】
0005762134.tif 000002
【図２】
0005762134.tif 000003
【図３】
0005762134.tif 000004
【図４】
0005762134.tif 000005
【図５】
0005762134.tif 000006
【図６】
0005762134.tif 000007
【図７】
0005762134.tif 000008
【図８】
0005762134.tif 000009
【図９】
0005762134.tif 000010
【図１０】
0005762134.tif 000011